(57)【要約】【課題】互いに異なる印字品位設定がされている画像データについて、ネスティング印刷をすることができ、用紙の無駄を防ぐことができる印刷装置を提供することを目的とする。【解決手段】複数の画像データを用紙の横方向に配置して印刷する印刷装置において、複数の印字品位設定モードから１つの印字品位設定モードを選択するモード選択手段と、受信した画像データの印字品位を判別する印字品位判別手段と、画像データを複数記憶する記憶手段と、上記記憶手段が記憶している複数の画像データを、用紙の横方向に配置する配置手段と、上記モード選択手段が選択した印字品位設定モードに従って印刷する印刷手段とを有することを特徴とする印刷装置である。【選択図】図１
2010284821.tif 000002
【特許請求の範囲】
【請求項１】
複数の画像データを用紙の横方向に配置して印刷する印刷装置において、
複数の印字品位設定モードから１つの印字品位設定モードを選択するモード選択手段と；
受信した画像データの印字品位を判別する印字品位判別手段と；
画像データを複数記憶する記憶手段と；
上記記憶手段が記憶している複数の画像データを、用紙の横方向に配置する配置手段と；
上記モード選択手段が選択した印字品位設定モードに従って印刷する印刷手段と；
を有することを特徴とする印刷装置。
【請求項２】
請求項１であって、
上記モード選択手段は、上記配置手段が配置する対象である複数の画像データの印字品位を、画質が最良の画像データの印字品位に揃える手段であることを特徴とする印刷装置。
【請求項３】
請求項１であって、
上記印刷手段は、上記配置手段が配置する対象である複数の画像データのうちで画質が最良の画像データの印字品位に揃えて、上記複数の画像データを印刷する手段であることを特徴とする印刷装置。
【請求項４】
請求項１であって、
上記モード選択手段は、上記配置手段が配置する対象である複数の画像データの印字品位を、最初に受信した画像データの印字品位に揃える手段であることを特徴とする印刷装置。
【請求項５】
請求項１であって、
上記印刷手段は、上記配置手段が配置する対象である複数の画像データについて、最初に受信した画像データの印字品位に揃えて印刷する手段であることを特徴とする印刷装置。
【請求項６】
請求項１であって、
上記モード選択手段は、上記配置手段が配置する対象である複数の画像データの印字品位を、印字速度が最速の画像データの印字品位に揃える手段であることを特徴とする印刷装置。
【請求項７】
請求項６であって、
上記印刷手段は、上記配置手段が配置する対象である複数の画像データについて、印字速度が最速の画像データの印字品位に揃えて印刷する手段であることを特徴とする印刷装置。
【発明の詳細な説明】
【技術分野】
【０００１】
本発明は、印刷装置に関し、特に複数の画像データを用紙の送り方向に対して垂直方向（横方向）に配置することによって用紙の無駄を防ぐネスティング印刷が可能な印刷装置に関する。
【背景技術】
【０００２】
従来、ホストコンピュータから受信した画像データを、内蔵するハードディスク等の不揮発性メモリに一旦記憶し、その不揮発性メモリに記憶している画像データを適宜読み出し、プリントアウトするプリンタや複写機等の印刷装置が知られている。この種の印刷装置の中でも、ポスター等を印刷するために大きな用紙を用いて画像データを印刷する大判プリンタ等の印刷装置が最近では普及している。大判プリンタでは、用紙としてロール紙が用いられ、印刷される。そして、画像データは、通常、用紙の送り方向（縦方向）に並べられ印刷が行われる。
【０００３】
上記従来の印刷装置において、画像データ幅に対し、非常に大きな幅のロール紙がセットされていると、印刷された画像の右端から用紙の右端までは、何も印刷が行われず、用紙の無駄が発生する。そこで、画像データをハードディスク等の不揮発性メモリに複数保存し、用紙の横方向に配置することによって用紙の無駄を防ぐネスティング印刷という機能が知られている。
【０００４】
しかし、画像データの印字品位が互いに異なる場合、ネスティング印刷することができない。また、複数のユーザからの画像データに対してネスティング印刷が行われるので、同一用紙内に別ユーザ同士の画像データが印刷され、不便である。このような不都合を防ぐために、ユーザ別に用紙を変えて印刷する印刷装置が知られている（たとえば、特許文献１参照）。
【先行技術文献】
【特許文献】
【０００５】
【特許文献１】特許第３４７２０６４号公報
【発明の概要】
【発明が解決しようとする課題】
【０００６】
上記従来のネスティング印刷は、同じ印字品位設定がされた画像データについてのみ適用され、互いに異なる印字品位設定がされている画像データについては、ネスティング印刷できず、用紙の無駄を防ぐ機能としては十分ではないという問題がある。
【０００７】
本発明は、互いに異なる印字品位設定がされている画像データについて、ネスティング印刷をすることができ、用紙の無駄を防ぐことができる印刷装置を提供することを目的とする。
【課題を解決するための手段】
【０００８】
本発明は、複数の画像データを用紙の横方向に配置して印刷する印刷装置において、複数の印字品位設定モードから１つの印字品位設定モードを選択するモード選択手段と、受信した画像データの印字品位を判別する印字品位判別手段と、画像データを複数記憶する記憶手段と、上記記憶手段が記憶している複数の画像データを、用紙の横方向に配置する配置手段と、上記モード選択手段が選択した印字品位設定モードに従って印刷する印刷手段とを有することを特徴とする印刷装置である。
【発明の効果】
【０００９】
本発明によれば、互いに異なる印字品位設定がされている画像データについて、指定のモード選択に従って印字品位を統一するので、ネスティング印刷を実行することができ、用紙の無駄を防ぐことができるという効果を奏する。
【図面の簡単な説明】
【００１０】
【図１】本発明の実施例１である印刷装置２０の構成を示す図である。
【図２】印刷装置２０における操作手段２４の詳細を示す図である。
【図３】液晶パネル１０２に表示されるネスティング設定のメニュー画面である。
【図４】印刷装置２０におけるネスティングモードのメニュー画面を示す図である。
【図５】ネスティングモードが標準である場合の動作を示すフローチャートである。
【図６】ネスティングモードが標準である場合の出力レイアウトを示す図である。
【図７】ネスティングモードが用紙節約である動作を示すフローチャートである。
【図８】ネスティングモードが用紙節約である場合の出力レイアウト図である。
【図９】本発明の実施例４におけるメニュー画面を示す図である。
【発明を実施するための形態】
【００１１】
発明を実施するための最良の形態は、次の実施例である。
【実施例１】
【００１２】
図１は、本発明の実施例１である印刷装置２０の構成を示す図である。
【００１３】
印刷装置２０は、ホストインタフェース１１を介して、ホストコンピュータ１０と接続されている。印刷装置２０は、受信バッファ２１と、印字品位判別手段２２と、ＨＤＤ２３と、操作手段２４と、印字開始判定手段２５と、配置手段２６と、印字品位変更手段２７と、画像処理手段２８と、エンジン手段２９とを有する。印刷装置２０が印刷する場合、ホストコンピュータ１０は、画像データを生成し、この画像データを印刷装置２０に送信する。
【００１４】
ホストインタフェース１１は、ホストコンピュータ１０が送信した画像データを受信し、この受信した画像データを印刷装置２０へ送信する。受信バッファ２１は、ホストインタフェース１１から受信した画像データを、一時的に蓄える。印字品位判別手段２２は、画像データの印字品位を判別する。
【００１５】
ＨＤＤ２３は、ハードディスクであり、画像データを記憶する。この記憶されている画像データは、印字品位判別手段２２が判別した印字品位と対応付けて保存されている。操作手段２４は、ユーザが、印刷装置２０に対して、種々の設定を行う部分であり、ネスティング設定やネスティングモードを決定する。
【００１６】
印字開始判定手段２５は、操作手段２４の設定に従い、印刷の開始を決定する。配置手段２６は、操作手段２４で行われた設定に従い、画像データの横方向への配置が必要な場合に配置を行う。そして、画像データの印字品位を統一しなければならない場合、印字品位変更手段２７が画像データの印字品位を統一する。
【００１７】
画像処理手段２８は、配置手段２６が配置した画像データを画像処理する。エンジン手段２９は、画像処理手段２８が画像処理した画像データを印字する。
【００１８】
図２は、印刷装置２０における操作手段２４の詳細を示す図である。
【００１９】
操作手段２４は、電源キー１０１と、液晶パネル１０２と、メニューキー１０３と、上下左右キー１０４と、ＯＫキー１０５と、キャンセルキー１０６とを有する。
【００２０】
電源キー１０１は、印刷装置２０の電源をＯＮ／ＯＦＦするために用いる。液晶パネル１０２は、印刷中やエラーの内容等、印刷装置２０の状態を表示する。メニューキー１０３は、印刷装置２０の種々の操作メニューを液晶パネル１０２に表示するために用いる。
【００２１】
上下左右キー１０４は、ユーザが種々の操作メニューを選択する場合に用いる。ＯＫキー１０５は、上下左右キー１０４によって選択された操作メニューを決定するために用いる。キャンセルキー１０６は、印刷時のキャンセルや設定のキャンセルを行うために用いる。
【００２２】
図３は、印刷装置２０の液晶パネル１０２に表示されるネスティング設定のメニュー画面を示す図である。ユーザが、メニューキー１０３と上下左右キー１０４とを使用して、ネスティング設定の操作メニューへ移動する。ネスティング設定のメニュー画面は、図３に示すように、液晶パネル１０２に表示される。ここで、上下左右キー１０４を用いて、ＯＮを選択し、ＯＫキー１０５によってネスティング設定をＯＮにすると、印刷装置２０は、ネスティング印刷が可能な状態になる。
【００２３】
図４は、印刷装置２０におけるネスティングモードのメニュー画面を示す図である。
【００２４】
ユーザが、メニューキー１０３と上下左右キー１０４とを使用し、ネスティングモードの操作メニューへ移動すると、図４（ａ）または図４（ｂ）に示すように、液晶パネル１０２に表示される。
【００２５】
ここで、上下左右キー１０４を用いて、「標準」を選択し、ＯＫキー１０５を押すと、印刷装置２０のネスティングモードは、標準のモードになる。一方、上下左右キー１０４を用いて、「用紙節約」を選択し、ＯＫキー１０５を押すと、印刷装置２０のネスティングモードは、用紙節約のモードになる。
【００２６】
図５は、印刷装置２０において、ネスティング設定がＯＮであり、ネスティングモードが標準である場合に、画像データ受信から出力までの動作を示すフローチャートである。
【００２７】
Ｓ１で、印刷装置２０は、画像データを受信し、受信バッファ２１へ画像データを蓄える。印字品位判別手段２２は、Ｓ２で、受信バッファ２１内に格納されている画像データの印字品位が何であるかを判別する。
【００２８】
そして、Ｓ３で、画像データと、この画像データの印字品位とを対応付けてＨＤＤ２３へ記憶する。印字開始判定手段２５は、ＨＤＤ２３に記憶されているネスティング待ち状態の画像データの印字品位と、Ｓ２で判別した受信中の画像データの印字品位とが同じであるかどうかを、Ｓ４で判定する。両印字品位が互いに同じであれば、Ｓ１へ戻り、データ受信待ち状態になる。Ｓ４で印字品位が異なると判断されると、Ｓ６で、ＨＤＤ２３からネスティング対象の画像データの読み出し開始を、印字開始判定手段２５が指示する。
【００２９】
Ｓ７で、配置手段２６が画像データを横方向に配置する。Ｓ８で、配置手段２６が、ネスティング対象の画像データの全てがＨＤＤ２３から読み出されたかどうかを判断し、読み取りが終了していなければ、Ｓ６に戻り、ＨＤＤ２３から画像データを読み出す。
【００３０】
読出しが終了すると、Ｓ９で、画像処理手段２８が画像を処理し、この処理された画像をエンジン手段２９に送信することによって、出力される。
【００３１】
印字開始判定手段２５は、印字品位が異なる場合に印字開始するだけでなく、別の要因でも、印刷を開始する。つまり、印字開始判定手段２５が、ネスティング対象である画像データの横幅の合計が紙サイズの横幅を超えた場合、ネスティング待ち状態の制限時間を超えた場合、ユーザがＯＫキー１０５を押した場合（Ｓ５）に、Ｓ６で、ＨＤＤ２３からの読み出しを開始する。
【００３２】
図６は、印刷装置２０において、ネスティング設定がＯＮであり、ネスティングモードが標準である場合における画像データの出力レイアウトを示す図である。
【００３３】
印刷装置２０は、データＡ（印字品位：標準）、データＢ（印字品位：きれい）、データＣ（印字品位：きれい）、データＤ（印字品位：はやい）の順で、データを受信すると、図６に示すように出力する。
【００３４】
印刷装置２０がデータＡを受信すると、印字品位判別手段２２が印字品位を判別し、ＨＤＤ２３へデータＡを記憶し、印刷装置２０がネスティング待ち状態になる。
【００３５】
次に、印刷装置２０がデータＢを受信すると、印字開始判定手段２５が、ＨＤＤ２３に記憶されているネスティング待ち状態のデータＡの印字品位（標準）とデータＢの印字品位（きれい）とが異なると判定し、データＡの印刷開始を指示する。データＡが、出力され、データＢは、ネスティング待ち状態である。
【００３６】
次に、印刷装置２０が、データＣを受信すると、印字開始判定手段２５は、ＨＤＤ２３に記憶されているネスティング待ち状態のデータＢの印字品位（きれい）とデータＣ（きれい）の印字品位とが同じであると判定し、ネスティング待ち状態を継続する。
【００３７】
次に、印刷装置２０がデータＤを受信すると、印字開始判定手段２５は、ＨＤＤ２３に記憶されているネスティング待ち状態のデータＢの印字品位とデータＣの印字品位とデータＤの印字品位とが異なると判定し、データＢとデータＣとの印刷開始を指示する。
【００３８】
配置手段２６は、データＢとデータＣとを横方向に配置し、出力する。そして、データＤは、ネスティング待ち状態になる。
【００３９】
図７は、ネスティング設定がＯＮであり、ネスティングモードが用紙節約である場合において、画像データ受信から出力までの動作を示すフローチャートである。
【００４０】
Ｓ１１で、印刷装置２０は、画像データを受信し、受信バッファ２１へ画像データを蓄える。Ｓ１２で、印字品位判別手段２２は、受信バッファ２１内に格納されている画像データの印字品位が何であるかを判別する。そして、Ｓ１３で、画像データとその画像データの印字品位とを対応付けて、ＨＤＤ２３へ記憶する。ここで、印刷装置２０は、ネスティング待ち状態になる。再び、データ受信があれば、Ｓ１１、Ｓ１２、Ｓ１３の処理が実行される。
【００４１】
Ｓ１４で、印字開始判定手段２５は、ネスティング対象の画像データの横幅の合計が、紙サイズの横幅を超えた場合、ネスティング待ち状態の制限時間を超えた場合、ユーザがＯＫキー１０５を押した場合（Ｓ１４）に、Ｓ１５で、印字品位を決定する。
【００４２】
Ｓ１５で、印字品位判別手段２２は、ネスティング対象の画像データの中で、どの画像データの印字品位が最もよいかを判定し、印字品位を決定する。そして、Ｓ１６で、印字開始判定手段２５は、ＨＤＤ２３からの画像データの読み出し開始を指示する。Ｓ１７で、配置手段２６は、読み出した画像データの印字品位が、Ｓ１５で決定された印字品位と同じかどうかを判定する。読み出した画像データの印字品位が、Ｓ１５で決定された印字品位と異なれば、Ｓ１８で、印字品位変更手段２７は、画像データの印字品位をＳ１５で決定された印字品位に変更する。
【００４３】
配置手段２６は、読み出した画像データの印字品位が、Ｓ１５で決定された印字品位と同じ場合、または、Ｓ１８で印字品位を変更した（統一した）画像データについて、Ｓ１９で、画像データを横方向に配置する。Ｓ２０で、配置手段２６は、ネスティング対象の画像データの全てがＨＤＤ２３から読み出されたかどうかを判断し、読み出しが終了していなければ、Ｓ１６に戻り、ＨＤＤ２３から画像データを読み出す。
【００４４】
ネスティング対象の画像データの全てが、ＨＤＤ２３から読み出されると、画像処理手段２８が画像処理し、エンジン手段２９へ送信することによって、Ｓ２１で、出力される。
【００４５】
図８は、印刷装置２０のネスティングモードが用紙節約である場合に、画像データを出力する出力レイアウトを示す図である。
【００４６】
図８（ａ）は、ネスティング設定がＯＮであり、ネスティングモードが用紙節約モードである場合に、画質が最良の画像データの印字品位に揃えて、画質優先で画像データを出力する出力レイアウトを示す図である。
【００４７】
印刷装置２０は、データＡ（印字品位：標準）、データＢ（印字品位：きれい）、データＣ（印字品位：きれい）、データＤ（印字品位：はやい）の順に、データを受信すると、図８（ａ）に示すように出力する。
【００４８】
印刷装置２０は、データＡを受信し、印字品位判別手段２２が印字品位を判別し、ＨＤＤ２３へデータＡを記憶し、印刷装置２０は、ネスティング待ち状態になる。次に、印刷装置２０がデータＢを受信すると、印字品位判別手段２２が印字品位を判別し、ＨＤＤ２３へデータＢを記憶し、印刷装置２０は、ネスティング待ち状態になる。
【００４９】
次に、印刷装置２０がデータＣを受信すると、印字品位判別手段２２が印字品位を判別し、ＨＤＤ２３へデータＣを記憶し、印刷装置２０は、ネスティング待ち状態になる。次に、印刷装置２０がデータＤを受信すると、印字品位判別手段２２が印字品位を判別し、ＨＤＤ２３へデータＤを記憶し、印刷装置２０は、ネスティング待ち状態になる。このときに、印字開始判定手段２５が印刷開始と判断すると、画像データの中でどの画像データの印字品位が最良であるかを判定する。
【００５０】
データＡ、データＢ、データＣ、データＤの中で、最良の印字品位は「きれい」であるので、印字品位を「きれい」に決定し、データＡを、ＨＤＤ２３から読み出す。データＡは、印字品位が「標準」であるので、印字品位変更手段２７が印字品位を「きれい」に変更し、配置手段２６は先頭に配置する。
【００５１】
次に、データＢをＨＤＤ２３から読み出す。データＢは、印字品位が「きれい」であるので、印字品位を変更せずに、配置手段２６は、データＡの横に、データＢをそのまま配置する。
【００５２】
次に、データＣをＨＤＤ２３から読み出す。データＣは、印字品位が「きれい」であるので、印字品位を変更せず、配置手段２６が、データＢの横に、データＣをそのまま配置する。次に、データＤをＨＤＤ２３から読み出す。データＤは、印字品位が「はやい」であるので、印字品位変更手段２７が印字品位を、最良である「きれい」に変更し、配置手段２６が横方向に配置する。
【００５３】
ネスティング対象の画像データの全てが、ＨＤＤ２３から読み出されたので、画像処理手段２８が画像処理し、エンジン手段２９へ送信することによって、出力する。
【００５４】
印刷装置２０は、複数の画像データを用紙の横方向に配置して印刷する印刷装置の例である。操作手段２４は、複数の印字品位設定モードから１つの印字品位設定モードを選択するモード選択手段の例である。印字品位判別手段２２は、受信した画像データの印字品位を判別する印字品位判別手段の例である。ＨＤＤ２３は、画像データを複数記憶する記憶手段の例である。配置手段２６は、上記記憶手段が記憶している複数の画像データを、用紙の横方向に配置する配置手段の例である。エンジン手段２９は、上記モード選択手段が選択した印字品位設定モードに従って印刷する印刷手段の例である。
【００５５】
上記モード選択手段は、上記配置手段が配置する対象である複数の画像データの印字品位を、画質が最良の画像データの印字品位に揃える手段である。上記印刷手段は、上記配置手段が配置する対象である複数の画像データのうちで画質が最良の画像データの印字品位に揃えて、上記複数の画像データを印刷する手段である。
【実施例２】
【００５６】
図８（ｂ）は、本発明の実施例２を説明する図であり、画像データの出力レイアウトを示す図である。
【００５７】
実施例２は、ネスティング設定がＯＮであり、ネスティングモードが用紙節約の場合であり、用紙節約のモードが最初に受信した画像データの印字品位に揃えて出力する実施例である。
【００５８】
印刷装置２０は、データＡ（印字品位：標準）、データＢ（印字品位：きれい）、データＣ（印字品位：きれい）、データＤ（印字品位：はやい）の順に、データを受信すると、図８（ｂ）に示すように出力する。
【００５９】
印刷装置２０は、データＡを受信し、印字品位判別手段２２が印字品位を判別し、ＨＤＤ２３へデータＡを記憶し、印刷装置２０は、ネスティング待ち状態になる。次に、印刷装置２０がデータＢを受信すると、印字品位判別手段２２が印字品位を判別し、ＨＤＤ２３へデータＢを記憶し、印刷装置２０は、ネスティング待ち状態になる。
【００６０】
次に、印刷装置２０がデータＣを受信すると、印字品位判別手段２２が印字品位を判別し、ＨＤＤ２３へデータＣを記憶し、印刷装置２０は、ネスティング待ち状態になる。次に、印刷装置２０がデータＤを受信すると、印字品位判別手段２２が印字品位を判別し、ＨＤＤ２３へデータＤを記憶し、印刷装置２０は、ネスティング待ち状態になる。
【００６１】
このときに、印字開始判定手段２５が印刷開始であると判断すると、画像データの中で最初に受信した画像データの印字品位が何であるかを判定する。最初に受信した画像データは、データＡであり、その印字品位は「標準」であるので、印字品位を標準に決定し、データＡをＨＤＤ２３から読み出す。
【００６２】
データＡは、印字品位が「標準」であるので、印字品位を変更せずに、配置手段２６がデータＡを先頭に配置する。次に、データＢをＨＤＤ２３から読み出す。データＢは、印字品位が「きれい」であるので、印字品位変更手段２７が印字品位を「標準」に変更し、配置手段２６が、データＡの横にデータＢを配置する。
【００６３】
次に、データＣをＨＤＤ２３から読み出す。データＣは、印字品位が「きれい」であるので、印字品位変更手段２７が印字品位を「標準」に変更し、配置手段２６が、データＢの横にデータＣを配置する。次に、データＤをＨＤＤ２３から読み出す。データＤは、印字品位が「はやい」であるので、印字品位変更手段２７が印字品位を「標準」に変更し、配置手段２６が、データＣの横にデータＤを配置する。
【００６４】
ネスティング対象の画像データが、ＨＤＤ２３から全て読み出されたので、画像処理手段２８が画像処理し、エンジン手段２９へ送信することによって、出力する。
【００６５】
また、上記モード選択手段は、上記配置手段が配置する対象である複数の画像データの印字品位を、最初に受信した画像データの印字品位に揃える手段である。そして、上記印刷手段は、上記配置手段が配置する対象である複数の画像データについて、最初に受信した画像データの印字品位に揃えて印刷する手段である。
【実施例３】
【００６６】
図８（ｃ）は、本発明の実施例３を説明する図であり、画像データの出力レイアウトを示す図である。
【００６７】
実施例３は、ネスティング設定がＯＮであり、ネスティングモードが用紙節約の場合であり、印字速度が最速の画像データの印字品位に揃えて、出力する実施例である。
【００６８】
印刷装置２０は、データＡ（印字品位：「標準」）、データＢ（印字品位：「きれい」）、データＣ（印字品位：「きれい」）、データＤ（印字品位：「はやい」）の順に、データを受信すると図８（ｃ）に示すように出力する。
【００６９】
印刷装置２０は、データＡを受信し、印字品位判別手段２２が印字品位を判別し、ＨＤＤ２３へデータＡを記憶し、印刷装置２０が、ネスティング待ち状態になる。次に、印刷装置２０が、データＢを受信すると、印字品位判別手段２２が印字品位を判別し、ＨＤＤ２３へデータＢを記憶し、印刷装置２０がネスティング待ち状態になる。
【００７０】
次に、印刷装置２０がデータＣを受信すると、印字品位判別手段２２が印字品位を判別し、ＨＤＤ２３へデータＣを記憶し、印刷装置２０が、ネスティング待ち状態になる。次に、印刷装置２０がデータＤを受信すると、印字品位判別手段２２が印字品位を判別し、ＨＤＤ２３へデータＤを記憶し、印刷装置２０が、ネスティング待ち状態になる。
【００７１】
このときに、印字開始判定手段２５が印刷開始であると判断すると、画像データの中で印字速度が最速の画像データの印字品位が何であるかを判定する。印字速度が最速の画像データは、データＤであり、その印字品位は「はやい」であるので、印字品位を「はやい」に決定し、データＡをＨＤＤ２３から読み出す。
【００７２】
データＡは、印字品位が「標準」であるので、印字品位変更手段２７が印字品位を「はやい」に変更し、配置手段２６が、データＡを先頭に配置する。次に、データＢをＨＤＤ２３から読み出す。データＢは、印字品位が「きれい」であるので、印字品位変更手段２７が印字品位を「はやい」に変更し、配置手段２６は、データＡの横にデータＢを配置する。
【００７３】
次に、データＣをＨＤＤ２３から読み出す。データＣは、印字品位が「きれい」であるので、印字品位変更手段２７が印字品位を「はやい」に変更し、配置手段２６は、データＢの横に、データＣを配置する。次に、データＤをＨＤＤ２３から読み出す。データＤは印字品位が「はやい」であるので、印字品位を変更せずに、配置手段２６が、データＣの横に、データＤを配置する。
【００７４】
ネスティング対象の画像データの全てをＨＤＤ２３から読み出したので、画像処理手段２８が画像処理し、エンジン手段２９へ送信することによって、出力する。
【００７５】
また、上記モード選択手段は、上記配置手段が配置する対象である複数の画像データの印字品位を、印字速度が最速の画像データの印字品位に揃える手段である。そして、上記配置手段が配置する対象である複数の画像データについて、印字速度が最速の画像データの印字品位に揃えて印刷する。
【実施例４】
【００７６】
図９は、本発明の実施例４であるネスティングモードが４種類存在する実施例におけるメニュー画面を示す図である。
【００７７】
印字品位が異なる場合、標準モード、画質優先用紙節約モード、受信優先用紙節約モード、速度優先用紙節約モードから、１つのモードを選択することができる。標準モードは、ネスティング印刷を行わないモードであり、画質優先用紙節約モードは、画質が最良である画像データの印字品位に合わせるモードである。受信優先用紙節約モードは、最初に受信した画像データの印字品位に合わせるモードであり、速度優先用紙節約モードは、印字速度が最速である画像データの印字品位に合わせるモードである。
【符号の説明】
【００７８】
１０…ホストコンピュータ、
２０…印刷装置、
２２…印字品位判別手段、
２７…印字品位変更手段、
２９…エンジン手段。
【図１】
2010284821.tif 000003
【図２】
2010284821.tif 000004
【図３】
2010284821.tif 000005
【図４】
2010284821.tif 000006
【図５】
2010284821.tif 000007
【図６】
2010284821.tif 000008
【図７】
2010284821.tif 000009
【図８】
2010284821.tif 000010
【図９】
2010284821.tif 000011